(57)【要約】      （修正有）【課題】主に外部エネルギーの伸縮力と振動を利用し、確実にコイルに誘導電流を発生させる発電方法とその誘導電流で点灯する装置の提供。【解決手段】コイル１２に誘導電流を発生させる第１マグネット２０を有するパイプ１４下部に第２マグネット１８、上部に引っ張りバネ２１とワイヤー５を接続して移動部を形成し、コイル１２を有するパイプ４下部に第２マグネット１８に吸引力を与える第３マグネット１９を取り付けて固定部を形成し、第３マグネット１９に第２マグネット１８を近づけ、第１マグネット２０を移動させ、コイル１２に流れる電流を取得する。又第３マグネット１９と第２マグネット１８の吸引力より引っ張りバネ２１の収縮力が上回った瞬間、第１マグネット２０を移動させてコイルに流れる電流を取得する装置とそれで点灯する装置を形成し、それを取り付けた物体の位置を表示する。【選択図】図１
2015089309.tif 000002
【特許請求の範囲】
【請求項１】
コイルに誘導電流を発生させる第１マグネットをパイプに入れ、そのマグネットに反発力の磁力を与える極性の第２マグネットをパイプ下部に設置し、又そのパイプの外側にコイルを有する更なるパイプを配置し、外部より振動等の力を加えパイプ内の第１マグネットを移動させて、コイルに誘導電流を発生させる振動発電において、内側のパイプに引っ張りバネ、又はゴム等の伸縮性の物を接続してそこからワイヤーを外へ出して移動部を形成し、一方で移動部のパイプ下部に設置された第２マグネットに吸引力を与える磁力の第３マグネットを、外側に設置したコイルを有するパイプの下部へ取り付けて固定部を形成し、移動部のパイプが固定部のパイプ側へ近づくように外部より力を加え、移動部のパイプの重力や第２と第３マグネットの吸引力を利用して移動部のパイプ内の第１マグネットを瞬時に移動させ、その瞬間的移動により外側のコイルに流れる電気エネルギーを取得する発電方法。
【請求項２】
請求項１記載の振動発電の発電方法において、外部エネルギーの変化により、パイプ下部に第２マグネットを有する移動部のパイプを、固定部の第３マグネットより切り離すように移動し、固定部の第３マグネットと移動部の第２マグネットの吸引力より、移動部のパイプに接続された引っ張りバネ、又はゴム等の収縮力が上回った瞬間、移動部のパイプ内の第１マグネットが、固定部の外側のコイル内を瞬時に移動し、コイルに流れる瞬間的な高い電気エネルギーを取得する発電方法。
【請求項３】
請求項１又は２記載の振動発電の発電方法において、パイプ下部に設置した移動部の第２マグネットと外側にコイルを有するパイプの下部に設置した固定部の第３マグネットが吸引し合って近づいている状態、或は外部より力を加えて移動部のパイプを移動し、固定部の第３マグネットと移動部の第２マグネットが離れている状態で、外部より振動等の力を加え、パイプ内にあるコイルに誘導電流を発生させる第１マグネットが外側のコイル内を移動し、コイルに流れる瞬間的な高い電気エネルギーを取得する発電方法。
【請求項４】
コイルに誘導電流を発生させる第１マグネットをパイプに入れ、そのマグネットに反発力の磁力を与える極性の第２マグネットをパイプ下部に設置し、又そのパイプの外側にコイルを有する更なるパイプを配置し、外部より振動等の力を加えパイプ内の第１マグネットを移動させて、コイルに誘導電流を発生させる振動発電において、コイルを有する外側のパイプ下部に圧縮バネ、パイプ上部に第３マグネットをそれぞれ設けて移動部２を形成し、一方でコイルに誘導電流を発生させる第１マグネットを有するパイプ上部に、移動部２のパイプ上部の第３マグネットに吸引力を与える第４マグネットを設置して移動部１を形成し、移動部１と２のパイプ上部の第４と第３マグネットを近づけて吸引させ、移動部１のパイプを移動部２のパイプより切り離すように移動し、移動部１の第４マグネットと移動部２の第３マグネットの吸引力より、移動部２のパイプ下部に設置された圧縮バネの反発力が上回った瞬間、コイルを有する移動部２のパイプが、第１マグネットを有する移動部１のパイプの外側を瞬時に移動し、コイルに流れる瞬間的な高い電気エネルギーを取得する発電方法。
【請求項５】
請求項４記載の振動発電の発電方法において、移動部１のパイプ上部にある第４マグネットと外側にコイルを有する移動部２の第３マグネットが吸引し合って近づいている状態、或は外部より力を加えて移動部１の第４マグネットを移動して、移動部１の第４マグネットと移動部２の第３マグネットが離れている状態で、外部より振動等の力を加え、パイプ内にあるコイルに誘導電流を発生させる第１マグネットが外側のコイル内を移動し、コイルに流れる瞬間的な高い電気エネルギーを取得する発電方法。
【請求項６】
コイルに誘導電流を発生させる第１マグネットをパイプに入れ、そのマグネットに反発力の磁力を与える極性の第２マグネットをパイプ下部に設置し、又そのパイプの外側にコイルを有する更なるパイプを配置し、外部より振動等の力を加えパイプ内の第１マグネットを移動させて、コイルに誘導電流を発生させる振動発電において、これらを有する装置を固定台に取り付けて固定部を形成し、一方でこの固定部の装置の側に、第１マグネットに吸引力を与える第３マグネットが、移動できる架台装置を固定台に取り付けて移動部を形成し、移動部の第３マグネットを固定部のパイプ内の第１マグネットに移動して近づけ、両マグネットを吸引させ、更に移動部の第３マグネットを、固定部の第１マグネットより切り離すように移動し、固定部のパイプ内の第１マグネットと移動部の第３マグネットの吸引力より、固定部の第１マグネットとパイプ下部に設置した第２マグネットの反発力が上回った瞬間、固定部のパイプ内の第１マグネットが、外側のコイル内を瞬時に移動し、コイルに流れる瞬間的な高い電気エネルギーを取得する発電方法。
【請求項７】
請求項６記載の振動発電の発電方法において、架台装置上の移動部の第３マグネットが、固定部の第１マグネットより離れていて、固定部の第１マグネットがパイプ内を自由に移動できる状態で、外部より固定台に振動等の力を加え、パイプ内にあるコイルに誘導電流を発生させる第１マグネットが外側のコイル内を移動し、コイルに流れる瞬間的な高い電気エネルギーを取得する発電方法。
【請求項８】
コイルに誘導電流を発生させる第１マグネットをパイプに入れ、そのマグネットに反発力の磁力を与える極性の第２マグネットをパイプ下部に設置し、又そのパイプの外側にコイルを有する更なるパイプを配置し、外部より振動等の力を加えパイプ内の第１マグネットを移動させて、コイルに誘導電流を発生させる振動発電において、内側のパイプに引っ張りバネ、又はゴム等の伸縮性の物を接続してそこからワイヤーを外へ出して移動部を形成し、一方で移動部のパイプ下部に設置された第２マグネットに吸引力を与える磁力の第３マグネットを、外側に設置したコイルを有するパイプの下部へ取り付けて固定部を形成し、移動部のパイプが固定部のパイプ側へ近づくように外部より力を加え、移動部のパイプの重力や第２と第３マグネットの吸引力を利用して移動部のパイプ内の第１マグネットを瞬時に移動させ、その瞬間的移動により外側のコイルに流れる電気エネルギーを取得でき、又固定部の第３マグネットと移動部の第２マグネットの吸引力より、移動部のパイプに接続された引っ張りバネ、又はゴム等の収縮力が上回った瞬間、移動部のパイプ内の第１マグネットが、固定部の外側のコイル内を瞬時に移動し、コイルに流れる瞬間的な高い電気エネルギーを取得できる装置とその電気エネルギーで点灯する装置を有し、それらの装置を物体に取り付け、その物体の位置を表示できることを特徴とした物体位置表示器。
【請求項９】
コイルに誘導電流を発生させる第１マグネットをパイプに入れ、そのマグネットに反発力の磁力を与える極性の第２マグネットをパイプ下部に設置し、又そのパイプの外側にコイルを有する更なるパイプを配置し、外部より振動等の力を加えパイプ内の第１マグネットを移動させて、コイルに誘導電流を発生させる振動発電において、コイルを有する外側のパイプ下部に圧縮バネ、パイプ上部に第３マグネットをそれぞれ設けて移動部２を形成し、一方でコイルに誘導電流を発生させる第１マグネットを有するパイプ上部に、移動部２のパイプ上部の第３マグネットに吸引力を与える第４マグネットを設置して移動部１を形成し、移動部１と２のパイプ上部の第４と第３マグネットを近づけて吸引させ、移動部１のパイプを移動部２のパイプより切り離すように移動し、移動部１の第４マグネットと移動部２の第３マグネットの吸引力より、移動部２のパイプ下部に設置された圧縮バネの反発力が上回った瞬間、コイルを有する移動部２のパイプが、第１マグネットを有する移動部１のパイプの外側を瞬時に移動し、コイルに流れる瞬間的な高い電気エネルギーを取得できる装置とその電気エネルギーで点灯する装置を有し、それらの装置を物体に取り付け、その物体の位置を表示できることを特徴とした物体位置表示器。
【請求項１０】
コイルに誘導電流を発生させる第１マグネットをパイプに入れ、そのマグネットに反発力の磁力を与える極性の第２マグネットをパイプ下部に設置し、又そのパイプの外側にコイルを有する更なるパイプを配置し、外部より振動等の力を加えパイプ内の第１マグネットを移動させて、コイルに誘導電流を発生させる振動発電において、これらを有する装置を固定台に取り付けて固定部を形成し、一方でこの固定部の装置の側に、第１マグネットに吸引力を与える第３マグネットが、移動できる架台装置を固定台に取り付けて移動部を形成し、移動部の第３マグネットを固定部のパイプ内の第１マグネットに移動して近づけ、両マグネットを吸引させ、更に移動部の第３マグネットを、固定部の第１マグネットより切り離すように移動し、固定部のパイプ内の第１マグネットと移動部の第３マグネットの吸引力より、固定部の第１マグネットとパイプ下部に設置した第２マグネットの反発力が上回った瞬間、固定部のパイプ内の第１マグネットが、外側のコイル内を瞬時に移動し、コイルに流れる瞬間的な高い電気エネルギーを取得できる装置とその電気エネルギーで点灯する装置を有し、それらの装置を物体に取り付け、その物体の位置を表示できることを特徴とした物体位置表示器。
【発明の詳細な説明】
【技術分野】
【０００１】
本発明は、コイルに誘導電流を発生させるマグネットをパイプに入れ、そのパイプの外側にコイルを取り付け、パイプ内のマグネットを移動してコイルに電気を発生させる振動発電の発電方法とそれを用いた物体位置表示器に関するものである。
【背景技術】
【０００２】
夜間、自転車の後方に対して自転車の存在を知らせて安全を保つ為に、ＬＥＤ（発光ダイオード）を点灯、点滅させる物や人の衣服に照明装置を取り付けて点灯、点滅させる物がある。
【０００３】
自転車のＬＥＤの点滅を電池駆動で行う物は、電池の交換が必要なだけではなく、ＬＥＤを点滅させる為の制御回路が必要になり、又、衣服や建築物等に取り付ける物は電池や家庭用電源を利用し、その消耗により交換しなければならないし、配線をしなければならない。
【０００４】
又、振動発電装置を人の衣服に取り付けてその電力を充電し、その電力により常時装置の駆動を維持する為に用いられる物などがあり、これらのものは、振動方向が定められ、又、コイル内部のマグネットの連続した速い移動が求められ、よってその振動発電装置を取り付ける物体の振動方向と素早い連続振動が求められる。
（特許文献３参照）。
【０００５】
ＬＥＤを内蔵した尾灯で、自転車に取り付けた発電機により点滅させることによって、駆動用電池を不要にした物が提案されている。
【０００６】
１つは前照灯用の発電機を利用して前照灯と尾灯の両方を駆動する物である。
前照灯用の発電機を利用するものでは、発電機から尾灯に電力を直接供給して走行中にのみ点滅させる物である。前照灯用の発電機を利用する物の他の形態は、自転車が停止している時も尾灯が点灯するようにしたものである（特許文献１参照）。その中では、前照灯と尾灯を分離し、発電機からの出力を整流してコンデンサー又は２次電池に充電して尾灯を点灯させ、又その一部を利用して方向指示機等にも利用している。
【０００７】
前照灯用の発電機は、通常、前輪側に設けられているので、自転車の前方から後方まで配線しなければならない為、ハンドルの操作により、又は使用時に配線が引っかかる等の事故によって、配線が切断されるようなことがあるので、長い年月の使用には不向きである。
【０００８】
後輪側に尾灯専用の発電機を設けたものもある。アーチ状の金具に左右２個の発電コイルを取り付け、後輪のリムにクリップ金具を介してマグネットを取り付け、後輪の回転により、マグネットが２個のコイルの間を通過する際の発電を利用しようとする物である。（特許文献２参照）。
【先行技術文献】
【特許文献】
【０００９】
【特許文献１】特開２０００−２５６６８号公報
【特許文献２】特開平１０−６７３５７号公報
【特許文献３】特開２０１２−１５７１８４号公報
【特許文献４】特開２０１２−２４９４４２号公報
【特許文献５】特開昭６４−３９２５６号公報
【発明の概要】
【発明が解決しようとする課題】
【００１０】
コイルに誘導電流を発生させるマグネットとそのマグネットに反発力を与えるマグネットを同一パイプ内に納め、更に圧縮バネを取り付けて小さな振動をより大きく振動させ、その振動発電装置を人が手で振って発電する物や、振動発電装置を物体に取り付け、その物体の振動により発電して電力を得るものがある。（特許文献３、４、５参照）
【００１１】
これらは、常時同一方向からの振動により電力を取得し、高い振動回数や振動スピードが必要とされ、又それより得た電力を主に常時使用する装置への電力供給源として考えられている。又、衣服やペット等に電池式の発光装置を取り付ける照明装置もあるが、電池の消耗等により交換しなければならず、コスト高となる。
【００１２】
したがって、本発明の目的はコイルとマグネットを近づけ、コイル内部でマグネットが外部振動により移動するように形成して更に、マグネットを移動させようとする外部の力が単発的で遅い動きでもマグネットを瞬間的に移動させ、コイルに誘導電流を発生させるようにしたものであり、コイルに誘導電流を発生させるマグネットを有するパイプに引っ張りバネや圧縮バネ、マグネット等を取り付け、この引っ張りバネや圧縮バネの伸縮及びマグネットどうしの吸引力や反発力等を利用して、コイルに誘導電流を発生させるマグネットを瞬時に移動させ、瞬間的に発生する誘導電流を利用して発光ダイオードを点灯させるようにする。
【００１３】
これにより、この装置をペットのリード、人の衣服や手及び杖等に取り付け、それら外部移動体の変化により、マグネットを瞬時に移動させて発電し、それを取り付けた物体の存在を外部に知らせるようにしたものである。
【課題を解決するための手段】
【００１４】
本発明の物体位置表示器は、コイルに誘導電流を発生させるマグネットとそのマグネットに反発力を与えるマグネットを同一パイプ内に納め、そのパイプの外側にコイルを取り付けたパイプを設け、更にマグネットを内部に有するパイプを瞬時に移動させる為に、引っ張りバネや圧縮バネ、吸引力や反発力を与えるマグネットを利用して、それらと外部エネルギーの変化と組み合わせて発電する機構を構成した装置と、その発電エネルギーで点灯する発光装置等を備えている。
【００１５】
コイルに誘導電流を発生させるマグネットとそれに反発力を与える極性のマグネットをパイプの底辺に固定して同一パイプ内に収め、そのパイプの上部には、引っ張りバネを接続して、引っ張りバネのもう一方を接続部材で固定し、その接続部材とワイヤーを接続して移動部を形成する。
【００１６】
一方で、その移動部パイプの底辺に固定されたマグネットに吸引力を与える極性のマグネットを別パイプの下側に取り付け、又その別パイプの外側にもコイルを取り付けて、移動部のパイプがコイル内を移動できるようにして固定部を形成し、移動部の底部マグネットと固定部のパイプの下側に取り付けたマグネットが互いに吸引し合い接近している状態にする。
【００１７】
ワイヤーが緩み、移動部のパイプの底部マグネットと固定部の底部のマグネットが互いに吸引し合い接近している状態において、移動部のパイプ内部のコイルに誘導電流を与えるマグネットはパイプ底部のマグネットに反発している為、パイプ内で宙に浮いている状態である。
【００１８】
この状態に於いて、外部より物体位置表示器全体に上下の振動を加えると、パイプ内のマグネットはその上下振動によって移動し、結果外側のコイル内を往復移動し、コイルに正逆の誘導電流が流れ、これらの発生した誘導電流はブリッジダイオードで整流され、終端の発光ダイオードが点灯する。  
【００１９】
又、移動部の底部に取り付けたマグネットと固定部に取り付けたマグネットが吸引して近づいている状態で、外部よりワイヤーを引いていくと、ワイヤーの先の引っ張りバネは伸びていく。
【００２０】
更に、ワイヤーを引き続け、やがて引っ張りバネの収縮力がマグネットどうしの吸引力を上回ると引っ張りバネに接続されたパイプはワイヤー方向へ移動し、その結果コイル内を瞬時にパイプ内のマグネットが移動し、その瞬間的移動によりコイルに誘導電流が発生する。
【００２１】
この状態に於いても、外部より物体位置表示器全体に上下の振動を加えると、パイプ内のマグネットはその上下振動によって移動し、結果外側のコイル内を往復移動し、コイルに正逆の誘導電流が流れ、これらの発生した誘導電流はブリッジダイオードで整流され、終端の発光ダイオードが点灯する。
【発明の効果】
【００２２】
本発明の物体位置表示器は、コイルに誘導電流を発生させるマグネットをパイプ内に入れ、そのマグネットに反発力を与える極性のマグネットをパイプ底部へ取り付けて、コイルに誘導電流を発生させるマグネットを宙に浮かした状態で、外部より振動を与えてそのマグネットを大きく移動させることにより、パイプの外に取り付けたコイル内を往復移動させることが出来き、コイルに発生した誘導電流により発光ダイオードを点灯することができる。
【００２３】
一方で、外部よりワイヤーをゆっくり引き続け、引っ張りバネの収縮力が移動部のパイプ低部のマグネットと固定部のマグネットの吸引力より上回った瞬間、パイプ内のマグネットが瞬時にコイル内を移動するので、ワイヤーの引っ張る移動速度にかかわらず外側のコイルに瞬間的な電気エネルギーを発生させることができ、数個の高照度の発光ダイオードを点灯することができる。
【００２４】
それにより、この機構を構成した装置を物体に取り付け、この装置全体に上下振動を与えた場合及び、主に外部エネルギーの伸縮力を本装置のワイヤーに伝達することにより、パイプ内部のマグネットがコイル内を移動し、コイルに誘導電流を発生させて終端の発光ダイオードを点灯し、その物体の取り付け位置や存在を知らせることができる。
【００２５】
それ故、この装置にクリップや押しボタンやワイヤーの収縮装置等を取り付け、ペット用のリードや人の手や衣服、杖等に取り付けた場合、外部エネルギーである張力や伸縮力、重力を利用でき、それらの動きがゆっくりでも確実にその取り付け物体やその付近の存在を外部に知らせることが可能となる。
【００２６】
これにより、夜間の散歩や外出等に利用でき、発光ダイオードを点灯させる為の電池は不要となる。又、コイルの発電波形がパルスなので発光ダイオードの点灯を点滅させる為の制御回路は必要なく、コストを低く抑えることが出来る。
【図面の簡単な説明】
【００２７】
【図１】本発明の物体位置表示器を取り付けた実施例を示したもので、（Ａ）は物体位置表示器をリードに取り付けた斜視図であり、（Ｂ）はＡ−Ａ部分の断面図で、ワイヤーが緩んだ場合を示したものであり、（Ｃ）はＡ−Ａ部分の断面図で、ワイヤーを引き寄せ引っ張りバネが伸びた場合を示したものであり、（Ｄ）はＡ−Ａ部分の断面図で、ワイヤーを引き寄せ引っ張りバネが縮んだ場合を示したものである。
【図２】本発明の実施形態を示したもので、（Ａ）は通常の状態を示した斜視図であり、（Ｂ）はその時のＡ−Ａ部分の断面図であり、（Ｃ）は押しボタンを押して外パイプと内パイプが下降した場合の断面図であり、（Ｄ）は押しボタンを押して内パイプが下降し、外パイプが上昇した場合の断面図である。
【図３】本発明の実施形態における物体位置表示器の他の実施形態を示したもので、（Ａ）は図２の圧縮バネを利用する代わりに、引っ張りバネを利用して通常の状態を示した断面図であり、（Ｂ）は押しボタンを押して外パイプと内パイプが下降した場合の断面図であり、（Ｃ）は押しボタンを押して外パイプが下降し、内パイプが上昇した場合の断面図であり、（Ｄ）は（Ａ）の引っ張りバネと固定マグネットを上板に取り付け、吸引マグネットを上蓋に取り付け、通常の状態を示した断面図である。
【図４】本発明の実施形態における物体位置表示器の他の実施形態を示したもので、図１（Ｂ）の断面図において、固定マグネットを内パイプに移動し、又引っ張りバネを発電マグネットに直接取り付けた場合の断面図で、ワイヤーが緩んだ状態を示した断面図であり、（Ｂ）はその状態からワイヤーを引っ張った断面図である。
【図５】本発明の実施形態における物体位置表示器の他の実施形態を示したもので、（Ａ）は図４（Ａ）の接続部材側に固定マグネット等を取り付け、下蓋に発電マグネットと引っ張りバネを取り付け、ワイヤーが緩んでいる状態を示した断面図であり、（Ｂ）はその状態からワイヤーを引っ張った断面図である。
【図６】本発明の実施形態における物体位置表示器の他の実施形態を示したもので、図５（Ａ）の内パイプを取って、架台に発電マグネットと引っ張りバネを接続してワイヤーが緩んでいる状態を示した断面図であり、（Ｂ）はその状態からワイヤーを引っ張った断面図である。
【図７】本発明の実施形態における物体位置表示器の他の実施形態を示したもので、（Ａ）は引っ張りバネを利用しないで、閉塞板と固定マグネットを利用したもので、ワイヤーが緩んでいる状態の断面図であり、（Ｂ）はその状態からワイヤーを引っ張った断面図である。
【図８】本発明の実施形態における物体位置表示器の他の実施形態を示したもので、（Ａ）は内パイプを移動させる手段として圧縮バネを利用した場合の通常の状態を示した断面図であり、（Ｂ）は押しボタンを押した場合の断面図である。
【図９】本発明の実施形態を示したもので、（Ａ）は発電マグネットを移動させる手段として、移動するマグネットを外部に取り付けた場合の一部分を断面図にしたもので、（Ｂ）はその移動するマグネットを発電マグネットに近づけた場合の断面図である。
【図１０】本発明の実施形態における物体位置表示器の他の実施形態を示したもので、（Ａ）は物体位置表示器の上部にレバー押さえを取り付けた場合の斜視図であり、（Ｂ）はその上部を表した断面図である。
【図１１】本発明の実施形態における物体位置表示器の他の実施形態を示したもので、（Ａ）は物体位置表示器をホルダー内部に納め、ホルダーを杖に取り付けた斜視図であり、（Ｂ）はその断面図である。
【図１２】コイルとブリッジダイオード等の配線及び発光ダイオードを示した回路図である。
【図１３】本発明の実施形態における物体位置表示器の他の実施形態を示したもので、（Ａ）は実施例８の図８（Ａ）の上蓋に固定マグネット、押しボタン先端に吸引マグネットを取り付けた断面図であり、（Ｂ）は上蓋に吸引マグネット、上カバーに固定マグネットを取り付けた断面図、（Ｃ）は上蓋と上カバー間に引っ張りバネを取り付けた断面図、（Ｄ）は発電マグネットを押しボタンで直接押した場合の断面図である。
【図１４】本発明の実施形態における物体位置表示器の他の実施形態を示したもので、（Ａ）は実施例１の図１（Ｂ）の引っ張りバネを無くし、上蓋に固定マグネットとクッションを取り付け、ワイヤー側に吸引マグネットを取り付けた断面図であり、（Ｂ）は図１４（Ａ）の下蓋下部と架台間に引っ張りバネを取り付けた断面図、（Ｃ）は図１４（Ａ）の圧縮バネを取り除き、上カバーに固定マグネット、上蓋に吸引マグネットを取り付けた断面図である。
【発明を実施するための形態】
【００２８】
以下、本発明に係る発電方法と物体位置表示器の好適な実施形態を、図面に従って説明する。
【００２９】
図１（Ａ）は本発明の物体位置表示器の一実施例であり、物体位置表示器２８にケーブルクリップ２を取り付け、又ワイヤー５の先にクリップ７を取り付け、リード８に物体位置表示器を取り付けた斜視図であり、（Ｂ）はＡ−Ａ部分の断面図である。
【００３０】
物体位置表示器２８の内部構造は図１（Ｂ）に示すように、内パイプ１４内にコイルに誘導電流を発生させる発電マグネット２０を入れ、それに反発力を与える極性の移動マグネット１８を内パイプの底辺に固定して、これらを同一内パイプ内に収め、その内パイプの上部には、上蓋１６を取り付け、その上蓋に引っ張りバネ２１を接続して、引っ張りバネのもう一方を接続部材１７と連結し、その接続部材とワイヤー５を接続して移動部を形成する。
【００３１】
一方で、この内パイプ１４の外側には外パイプ４があり、移動部の内パイプ底辺に固定された移動マグネット１８に吸引力を与える極性の固定マグネット１９をこの外パイプの下側に設けた架台２５の中央部に取り付け、更にこの外パイプの外側にコイル１２を取り付けて、移動部の内パイプが外パイプの内側を移動してコイル内を移動できるようにして固定部を形成し、移動部の移動マグネットと固定部の固定マグネットが互いに吸引し合い接近している状態にする。
【００３２】
又、この固定部の外パイプ４には、コイル１２から発生する電流を整流する為のブリッジダイオード１１があり、更にそこから電線１０が出て抵抗９へ接続されて架台２５に設置された発光ダイオード３へ接続されており、コイルの外側には外ケース２７が取り付けられている。
【００３３】
固定部下部にある固定マグネット１９の中心部付近に調整ネジ２６が設置され、このネジにより移動部の移動マグネット１８と固定部の固定マグネットとの吸引力を調整できるようにしてあり、この吸引力が一定の場合等はクッションを挿入してこの調整ネジを省いても良い。
【００３４】
内パイプ１４内にある発電マグネット２０と移動マグネット１８は互いに反発し合う極性にし、発電マグネットが内パイプ内で宙に浮いている状態にする。
又、内パイプの上蓋１６と発電マグネットの間にクッション１５を挿入し、発電マグネットが上昇した時の衝撃や音を吸収するようにする。
【００３５】
内パイプの上蓋と引っ張りバネ２１の片側を接続し、もう片方を接続部材１７と連結し、更に、その接続部材の片側にワイヤー５を接続し外ケース２７の上部に設けた上カバー１の穴より外部へワイヤーを出し、その先のクリップ７にワイヤーを繋ぐ。
【００３６】
内パイプ内の発電マグネットと上蓋間にあるクッションは発電マグネットが移動してぶつかった時の衝撃を吸収し、又、衝撃音を小さくする為等に取り付けられているので、スポンジやゴム、スプリング、エアークッション等のもので形成しても良い。
【００３７】
このクッション１５の材質は出来る限り非磁性体の物を利用し、大きさや収縮力、幅等は引っ張りバネ２１の張力や発電マグネットの移動速度、及び終端の発光ダイオードを点灯する個数等を考慮して決められる。
【００３８】
接続部材１７と外ケース２７の上部にある上カバー１の間には、圧縮バネ２３がありその中心部をワイヤー５が通っている。
ワイヤーを引っ張り、その先の引っ張りバネ２１や内パイプ１４を移動させた時、この圧縮バネは上カバーと接続部材間で縮み、ワイヤーを緩めた時に反発して伸びて、内パイプを元の位置へ戻す役目をしている。
【００３９】
又、ワイヤーの代わりにゴムやカールコード等の伸縮性のある物を利用して圧縮バネを省いても良く、ワイヤーを緩めたときに、移動部と固定部のマグネットの吸引力が強く、又内パイプ等の重力を利用できて両マグネットが吸引して近づけるときは同様に圧縮バネを省いても良い。
【００４０】
本案による発電マグネット２０と移動マグネット１８の極性は、互いに反発し合う極性にしてあり、固定マグネットも同様にネオジウム磁石を用いている為、その磁力は非常に強く、パイプ内で発電マグネットを宙に浮かすことができ、これにより移動マグネットを内パイプ底部の外側に取り付けても良い。
【００４１】
図１（Ｂ）において、物体位置表示器２８を上下に振ると外ケース２７内の圧縮バネや引っ張りバネが伸縮し、又内パイプ１４も上下に振れる。それにより内パイプ内部の発電マグネットも上下に大きく移動し、コイル１２内を上下に移動する。
【００４２】
外パイプ４の外側にはコイルがあり、そのコイルを接着剤等で外パイプに固定する。
コイルより出た線は、電線１０により、ブリッジダイオード１１、抵抗９を経て発光ダイオード３へ接続され、図１２の回路図のように示される。
このコイル１２は図１（Ｂ）に示すようにボビン１３にポリエステル樹脂等で被われた銅線又はエナメル線等を巻いて形成し、外パイプ４と接着剤等で固定される。
【００４３】
圧縮バネ２３は上カバー１と接続部材１７間で自由に伸縮できるようにし、又引っ張りバネ２１も上蓋１６と接続部材間で自由に伸縮できるようにする。
ワイヤー５と接続部材、接続部材と引っ張りバネ及び上蓋の接続方法は、ネジやナットを利用して連結しても良く、溶接等で接続しても良い。
又、ワイヤー５の代わりにチェーンや紐、伸縮性のゴムや引っ張りバネ等、外部エネルギーの変化を移動部の接続部材に伝達できる物を使用しても良い。
【００４４】
接続部材や上蓋、各種バネ、調整ネジ、ボビン、内パイプ、外パイプ、架台、クッション、上下カバー等の材質は出来る限り発電マグネットや移動マグネットに影響を与えないアルミやステンレス、プラスチック、ガラス、ゴム等の非磁性体の物を用い、又、ボビンレスコイルを利用して、直接外パイプ４にコイルを取り付けても良く、それにより軽量化と簡略化がはかれる。
【００４５】
移動マグネット１８の磁力が大きく、このマグネットと調整ネジとの切り離しが容易に行なわれる場合、固定マグネットの代わりに磁性体の物を取り付けても良く、又は調整ネジを磁性体の物に代えて固定マグネットを取り付けなくても良い。
【００４６】
外ケース２７の下方には外部より発光ダイオードの光が分かるように透明な樹脂等で形成した下カバー６が接着剤等で取り付けられ、下カバー底部の内側には反射材等を貼り付けて、発光ダイオードの光を下カバー側面に反射させるようにし、外部より物体位置表示器の存在を認識できるようにする。
尚、下カバーと外ケースの接続を互いにネジ加工し連結しても良く、両方に収縮チューブ等を被せ繋ぎ合わせても良い。
【００４７】
これにより、本発明の発電方法を説明すると、図１（Ｂ）に於いて、内パイプ１４の上部には上蓋１６が取り付けられ、その上蓋より引っ張りバネ２１、接続部材１７、ワイヤー５がそれぞれ連結され、更にワイヤーの先には図１（Ａ）に示すようにクリップ７が接続され、リード８にクリップが取り付けられている。
【００４８】
接続部材１７と外ケース２７の上部にある上カバー１の間には、圧縮バネ２３があり、その伸縮力により、リードが緩んだ状態ではワイヤーを引っ張り、内パイプの移動マグネット１８と固定マグネット１９は吸引しあい接近している。
【００４９】
内パイプ内には発電マグネット２０が挿入されており、又このパイプ下部にはこの発電マグネットに反発力を与える極性の移動マグネット１８が固定され、発電マグネットを宙に浮かした状態にし、更に発電マグネット上部にクッション１５を挿入し、これらにより移動部を形成している。
【００５０】
図１（Ａ）や（Ｂ）に示すように、外ケース２７にはネジ２２とナット２９により、ケーブルクリップ２をしっかり固定し、そのケーブルクリップ２をリード８に絡ませ、物体位置表示器２８をリードに固定する。
発電マグネットの上部には衝撃や音を吸収する為のクッション１５が挿入され、図１（Ｂ）に於いて、発電マグネットの上部移動をこのクッションで停止するようにする。
【００５１】
一方で、この内パイプ１４の外側には外パイプ４があり、移動部の底辺に固定された移動マグネット１８に吸引力の磁力を与える固定マグネット１９が外パイプ４の下方の架台２５に取り付けられ固定部を形成している。
又、この固定部の外パイプの外側にはコイル１２があり、移動部の内パイプ内の発電マグネット２０はこのコイル内を上下に移動できる状態である。
【００５２】
外パイプ４には、コイル１２から発生する電流を整流する為のブリッジダイオード１１や抵抗が接着剤等で取り付けられ、ブリッジダイオードから電線１０で抵抗９へ接続され、架台に設置された発光ダイオード３へ接続され、コイルの外側と外ケース２７の内側は接着剤等で固定されている。
【００５３】
この外パイプの下方の架台にある固定マグネット１９の中心部付近に調整ネジ２６が設置され、このネジにより移動部の移動マグネット１８と固定部の固定マグネットとの吸引力を調整できるようにしてある。
【００５４】
これらにより、ワイヤーが緩んでいる状態で物体位置表示器２８を上下に振るとケース内の圧縮バネや引っ張りバネが伸縮し、又内パイプも上下に振れ、内パイプ内部の発電マグネットも上下に大きく移動し、コイル内を上下に移動する為、終端の発光ダイオード３を点灯することができる。
【００５５】
この状況で、外部よりリードを伸ばしてワイヤー５を引っ張ると、図１（Ｃ）に示すように、圧縮バネ２３は縮み、ワイヤーに連結された接続部材も移動し、接続部材と上蓋１６間の引っ張りバネ２１も伸びていく。
【００５６】
更にワイヤーを引っ張っていき移動マグネット１８と固定マグネット１９の磁力による吸引力より引っ張りバネの収縮力が勝った時、内パイプ１４は図１（Ｄ）のように上方へ瞬時に移動し、パイプ内の発電マグネットはコイル内を瞬時に移動する。
この瞬間コイルには誘導電流が流れ終端の発光ダイオードが点灯する。この動作は、ワイヤーの動きが遅くても瞬時に行なわれる。
【００５７】
又、このワイヤーを引っ張った状態で、物体位置表示器２８を上下に振ると、内パイプ内の発電マグネットも上下に移動してコイル内を移動するので、発光ダイオードを点灯させることができる。
【００５８】
図１（Ｄ）において、圧縮バネ２３が縮み、引っ張りバネ２１も縮み、内パイプ１４の上昇移動が停止し、その後外部よりの引張りが無くなりワイヤーが緩むと、圧縮バネの反発力と内パイプの重力及び移動マグネットと固定マグネットの吸引力等により、内パイプが引き戻され、これと同時に発電マグネットも再度元の位置方向に移動しコイル内を移動することになる。
この瞬間コイルには前回と逆向きの誘導電流が流れ、ブリッジダイオード１１の整流により終端の発光ダイオードを再点灯する。
【００５９】
本発明の発電方法は、内パイプの底辺に固定した移動マグネット１８と外パイプに取り付けた固定マグネット１９の吸引力より、内パイプに取り付けた引っ張りバネの収縮力がまさった時に内パイプを引っ張って、内パイプ内の発電マグネット２０を瞬時に移動させてコイル内部を移動することにより、コイルに誘導電流を発生させるものである。
【００６０】
それ故、移動マグネット１８と固定マグネット１９の吸引力を弱くする方向へ力を加え、引っ張りバネの代わりに伸縮性のゴムやクッション等を利用し、引っ張りバネを利用しないで両マグネットを引き離し、瞬時に内パイプを移動させる構造にしても良い。
【実施例１】
【００６１】
次に、上記本発明の発電方法を用いた物体位置表示器２８の動作を図面に従って説明する。
図１（Ａ）はペットの散歩時に使用するリード８へ物体位置表示器取り付けた場合で、図１（Ｂ）に示すように物体位置表示器にはケーブルクリップ２がネジ２２とナット２９を利用してしっかり固定されており、一方でワイヤー５の先にクリップ７を取り付け、ケーブルクリップ２と一緒にリード８へ取り付ける。
【００６２】
物体位置表示器とクリップのリードへの取り付けは、物体位置表示器をケーブルクリップでリードへ巻きつけて固定した後、リードを直線にした状態でワイヤー５を引っ張り、図１（Ｂ）、（Ｃ）、（Ｄ）の順序のように、圧縮バネ２３が縮み、引っ張りバネ２１が伸びきってその後縮み、内パイプ１４を上部まで移動させてクリップをリードへ取り付ける。
【００６３】
その後リードを緩め、圧縮バネの反発力や移動マグネット１８と固定マグネット１９の吸引力等により、リードを引き寄せリードが曲線になるようし、その状態を示したのが図１（Ａ）である。
【００６４】
物体位置表示器２８の内部構造は前延の発電方法で説明した内容で一部省略するが、この状態でのリードの片側をペットの首輪等に取り付け、もう片方を人が持って散歩等に出かけた場合、故意に人がリードを揺らすと、内パイプ内の発電マグネット２０は上下に移動し、コイル１２内を通過して、発光ダイオード３を点灯する。
【００６５】
一方で、ペットと人の距離が開いてリードが直線方向に引っ張られると、クリップの先のワーヤー、引っ張りバネ、内パイプが引っ張られ、引っ張りバネが伸び、更にリードが伸びてワイヤーを引っ張っていき、移動マグネットと固定マグネットの磁力による吸引力より引っ張りバネの収縮力が勝った時、内パイプは瞬時に移動する。
【００６６】
この瞬間コイルには誘導電流が流れ終端の発光ダイオードが点灯する。この動作は、人とペットの距離がゆっくり離れても瞬時に行なわれ、これによりペットと人の存在を外部に知らせることができる。
又、この状態でも故意に人がリードを揺らすと、内パイプ内の発電マグネット２０は上下に移動し、コイル１２内を通過して、発光ダイオード３を点灯することができる。
【００６７】
その後、人とペットの距離が狭くなり、リードが緩むと、圧縮バネの伸びようとする力や移動マグネットと固定マグネットの吸引力や内パイプの重力等により、元の位置方向へ内パイプが引き戻され、これと同時に発電マグネットも再度コイル内を移動する。
この瞬間コイルには前回と逆向きの誘導電流が流れ、ブリッジダイオードの整流により終端の発光ダイオードを再点灯する。
【００６８】
図１（Ｂ）では、内パイプ１４の内部に挿入する発電マグネット２０の形状は円筒形であるが、球状にしても良く、内パイプや外パイプの形状を多角にし、挿入する発電マグネットを多角柱にしてもよい。又、上カバー１等にマグネット又は磁性体部品を取り付けてそれを移動可能にし、外ケース２７に近づけその磁力により発電マグネットの移動を停止させ、発光ダイオードの点灯をＯＮ、ＯＦＦ制御しても良い。
【００６９】
コイル１２に発生する電力は、主に発電マグネット２０の磁界と、コイル内を通過するスピード、及びコイルの巻き線数等によるが、発電マグネットの磁界と、コイルの巻き線数は通常のリードの伸縮や外部振動等で発光ダイオード３を点灯させることができる値を決めればよい為、抵抗９を省いても良く、発光ダイオードの数を複数にしても良い。
【００７０】
更に外ケース２７にソケットを設け、このソケットに発光ダイオードへの出力を並列に入れ、ソケットにプラグを差し込んで、プラグより出る電線を長くして、その先に別な発光ダイオードを取り付けて、その発光ダイオードを人の衣服等へクリップで取り付けて点灯させても良い。
【００７１】
前延では、物体位置表示器２８の外ケースにケーブルクリップ２をネジ２２とナット２９で締め付けて動かないように固定しているが、ケーブルクリップがネジを支点に自由に回転できるようにネジ２２と外ケースの間に隙間を設け、ナットで固定しても良い。  
これにより、物体位置表示器はワイヤーの引っ張られた先に対し、内部の内パイプ１４が常に張力方向へスムーズに移動できるようになる。  又、ケーブルクリップの代わりに、ゴムバンドやクリップ、紐等で固定しても良い。
【００７２】
図１（Ｂ）では、内パイプの移動に引っ張りバネ２１を利用しているが、これの代わりに伸縮性のゴムやクッション等を利用しても良く、移動マグネット１８の磁力が大きく、このマグネットと調整ネジ２６との切り離しが容易に行なわれる場合、固定マグネット１９の代わりに磁性体の物を取り付けても良く、又は調整ネジを磁性体の物に代えて固定マグネットを取り付けなくても良い。
【００７３】
本発明では発電マグネットが、外部振動により上下移動してコイル内を通過して発電を行なうことができ、更に引っ張りバネを引っ張り、移動マグネットと固定マグネットの吸引力の開放時に、瞬時に内パイプを移動させ、それによりコイル内を発電マグネットが移動してコイルに瞬間的な誘導電流を発生させることにより終端の発光ダイオードを点灯し、又、発電マグネットとコイルの移動開始位置、移動時の軌道が常に同じ状態になり、確実に安定した電力を発生することができる。
【００７４】
これにより、ケーブルクリップ２とクリップ７をリード８に取り付け、ペットの散歩等に利用すると、リードの振動やリードの伸縮より発光ダイオードを点灯することができ、人やペットの存在位置を外部に知らせることができる。
【実施例２】
【００７５】
次に、人が物体位置表示器を手に持って外部にその存在位置を知らせるようにした実施例を図面に従って説明する。
図２（Ａ）は物体位置表示器２８を手に持って外部にその位置を知らせるように、図１（Ａ）の一部を変化させた斜視図であり、（Ｂ）は（Ａ）のＡ−Ａ部分の断面図である。
外ケース２７の上部に押しボタン３１を出し、上カバー１と押しボタンの間に圧縮バネ２３を取り付け、又、この外ケース側面に保持バンド３０をネジ２２で押さえ、この保持バンドに指を入れて物体位置表示器をつかむことができるようにしたものである。
【００７６】
図１（Ｂ）の内パイプ１４上部の上蓋１６に吸引マグネット３２を設置し、下部先端をネジ加工してある押しボタンの先端とナット等により、内パイプの上蓋と吸引マグネットを挟んでこれらを一緒に固定する。これにより、押しボタンを下方へ押すと、内パイプと上蓋にある吸引マグネットは下方へ移動する。
発電マグネット２０がある内パイプの内部構造は実施例１の図１（Ｂ）と同じなので説明を省略する。
【００７７】
外ケース２７の上カバー１と押しボタンの間に圧縮バネ２３を配置し、押しボタンを指で下方へ押した場合、内パイプ１４全体は下方へ移動し、圧縮バネは縮み、又指を離すと圧縮バネの反発力により、押しボタンは上方の元の位置へ移動する。
又、外ケースの上カバーの下側と外パイプ４の上板３６の下側にそれぞれクッション３４が取り付けられている。
【００７８】
このクッションは内パイプが移動して外パイプの上板にあたった時、及び外パイプ４が移動して上カバーにあたった時の衝撃や音を吸収する為に取り付けられており、衝撃が小さいときは取り付けなくても良く、又、バネ等を利用しても良い。
【００７９】
内パイプと内パイプ上部の上蓋１６や、外ケースと外ケース上部の上カバー及び、外パイプと外パイプ上部の上板はそれぞれ接着剤等で固定され、更に上板の上部にも接着剤等で固定マグネット１９が取り付けられて固定されており、この固定マグネットと内パイプ上部の吸引マグネット３２は互いに吸引し合う極性にし、両マグネットのどちらか一方を磁性体の物を使用して吸引させても良い。  
【００８０】
外パイプ底部には図２（Ｂ）のような架台２５を取り付け、これも外パイプ底部と接着剤等で固定する。又、この架台の中心部にはサポートネジ３８が取り付けられており、ナット等によりこの架台と接続して固定されている。
【００８１】
架台２５に取り付けられたサポートネジと外ケースの下カバー６の間に底部圧縮バネ３３を挿入し、押しボタン３１を押して外パイプが下降した時に底部圧縮バネは縮み、押しボタンを離したときには底部圧縮バネは反発して伸び、外パイプを上昇させる。
【００８２】
図１（Ｂ）同様、内パイプ内の発電マグネット２０は移動マグネット１８と反発し合う極性にしてある為、内パイプ内で宙に浮いている状態で、外部振動により自由に上下できる状態である為、このパイプの上部にクッション１５を挿入して、衝突時の衝撃や音を吸収させており、その衝撃が小さい場合等はクッションを使用しなくても良い。
【００８３】
押しボタン３１は圧縮バネ２３により、又、外パイプ下方に取り付けられた架台２５も底部圧縮バネ３３によりそれぞれ上に押されており、これにより固定マグネット１９と吸引マグネット３２は吸引し合い、外パイプ上板３６と内パイプ上蓋１６はそれぞれ押しボタン側に近づいている。
この状態で保持バンドに３０に指を入れ、物体位置表示器２８を人が手に持って上下に振ると内パイプの発電マグネットも大きく上下に移動し、外パイプに取り付けたコイル内を移動し、終端の発光ダイオードが点灯する。
【００８４】
一方で、押しボタン３１を人の親指等で押すと、図２（Ｃ）のように、圧縮バネは縮み、同様に架台２５の底部圧縮バネ３３も縮む。押しボタンの先端に取り付けた内パイプ１４は下方へ移動し、吸引マグネット３２の磁力により吸引されている固定マグネット１９を有する外パイプも下方へ移動する。
【００８５】
更に押しボタンを押していき、吸引マグネットと固定マグネットの吸引力より底部圧縮バネの反発力が勝ったとき、図２（Ｄ）のように、コイルを有する外パイプはその底部圧縮バネの反発力により上方へ瞬時に移動する。この動作は発電マグネットの外側をコイルが移動したことになり、終端の発光ダイオードを点灯することができる。
【００８６】
又、この押しボタンを押した状態で、物体位置表示器を上下に振ると、内パイプ内の発電マグネットも上下に移動でき、コイル内を移動するので発光ダイオードを点灯させることができる。
【００８７】
図２（Ｄ）において、圧縮バネ２３が縮み、底部圧縮バネが伸び、外パイプ４の移動が停止し、その後押しボタンを押すのをやめ開放すると、圧縮バネ２３の反発力や固定マグネットと吸引マグネットの吸引力等により押しボタンは上方へ移動し、これにより内パイプも上方へ移動して再度固定マグネットと吸引マグネットが近づいて吸引し合い、図２（Ｂ）の状態となる。
【００８８】
図２（Ａ）に於いて使用している保持バンド３０は収縮するビニール、ナイロン、プラスチック、ゴム等で成形しても良く、又、輪の一部を切断して両側をボタン構造に、或はオス、メスの簡易テープで繋ぎ合わせ、容易に手のサイズに合わせることができる構造にしても良く、更にこの物体位置表示器を手にしっかり密着できるときは、保持バンドを取り付けなくても良い。
その他の動作や、取り付け部品、図面の説明内容は実施例１と殆ど同様なので省略する。
【００８９】
本実施例の発電方法は、内パイプに固定した吸引マグネット３２と外パイプに取り付けた固定マグネット１９の吸引力より、外パイプ下部の架台２５と外ケース２７底部の下カバー６の間にある底部圧縮バネ３３の反発力がまさった時に、両パイプを引き離して発電マグネット２０の外側を瞬時に外パイプを移動させ、発電マグネットがコイル内部を移動することと同じになり、コイルに誘導電流を発生させるものである。
【００９０】
それ故、吸引マグネットと固定マグネットの吸引力を弱くする方向へ力を加え、底部圧縮バネやサポートネジ３８を利用しないで、下カバー底部へ新たなマグネットを取り付け、更に、このマグネットに反発力を与えるマグネットをサポートネジが固定されていた架台へ取り付け、これら両マグネットの反発力が吸引マグネット３２と固定マグネット１９の吸引力よりまさった時に、両パイプを引き離し、外パイプを瞬時に移動させてコイルに誘導電流を発生させることも可能になり、底部圧縮バネを利用せず、マグネットを組み合わせて両パイプを引き離す構造にしても良い。（図示せず）
【実施例３】
【００９１】
次に、押しボタンを使用し内パイプの移動に引っ張りバネを利用した場合の実施例について図面に従って説明する。
図３（Ａ）は、実施例１、２同様物体位置表示器２８の断面図を示しており、図１（Ｂ）と図２（Ｂ）を組合せたような物で、図２（Ｂ）の外ケース２７の上カバー１にネジ３５を取り付け、それよりワイヤー３９を出して、引っ張りバネ２１に接続してあり、又この引っ張りバネの片側を内パイプ１４の上蓋１６に取り付け、ネジ等で固定する。
【００９２】
図３（Ａ）の外パイプ４の上板３６と下部先端をネジ加工してある押しボタン３１をナット等により固定する。
これにより、押しボタンを下方へ押すと、外パイプは下方へ移動する。
外ケース２７の上カバー１と押しボタンの間に圧縮バネ２３を設け、押しボタンを指で下方へ押した場合、外パイプ全体は下方へ移動して圧縮バネは縮み、又指を離すと圧縮バネの反発力により、押しボタンは上方の元の位置へ移動する。
【００９３】
実施例１、２と同様に、内パイプの下蓋２４には移動マグネット１８があり、発電マグネット２０と反発しあう極性にしており、発電マグネットは内パイプ内で宙に浮いた状態である。
又、外パイプの架台２５の中心部には移動マグネットと吸引しあう極性の固定マグネット１９と調整ネジ２６が取り付けてあり、この調整ネジにより両マグネットの吸引力を調整している。
【００９４】
図３（Ａ）では、内パイプの移動に引っ張りバネ２１を利用しているが、これの代わりに伸縮性のゴム等を利用しても良く、移動マグネット１８の磁力が大きく、このマグネットと調整ネジ２６との切り離しが容易に行なわれる場合、固定マグネット１９の代わりに磁性体の物を取り付けても良く、又は調整ネジを磁性体の物に代えて固定マグネットを取り付けなくても良い。
【００９５】
実施例１，２同様、内パイプ内の発電マグネット２０は、人がこの物体位置表示器２８を手に持って上下に振ると、その振動によって、発電マグネットも大きく上下に移動し、外パイプに取り付けたコイル内を移動し、終端の発光ダイオードが点灯する。
【００９６】
一方で、押しボタンを人の親指等で押すと、図３（Ｂ）のように、外パイプは下降し、圧縮バネは縮み、引っ張りバネ２１は伸び始める。
外パイプ底部の架台２５に取り付けられた固定マグネットと内パイプ底部の下蓋２４に取り付けた移動マグネットは互いに近づき吸引し合っているので、内パイプも同様に下降していく。
【００９７】
更に押しボタンを押していき移動マグネット１８と固定マグネット１９の磁力による吸引力より引っ張りバネの収縮力が勝った時、内パイプ１４は図３（Ｃ）のように上方へ瞬時に移動し、内パイプ内の発電マグネットはコイル内を移動する。
この瞬間コイルには誘導電流が流れ終端の発光ダイオードが点灯する。この動作は、ワイヤーの動きが遅くても瞬時に行なわれる。
【００９８】
又、この押しボタンを押した状態で、物体位置表示器を上下に振ると、内パイプ内の発電マグネットも上下に移動でき、コイル内を移動するので、発光ダイオード３を点灯させることができる。
【００９９】
図３（Ｃ）において、圧縮バネ２３が縮み、引っ張りバネも縮んで内パイプの移動が停止した状態で、押しボタンを押すのをやめ開放すると、圧縮バネの伸びようとする力により押しボタンは上方へ移動し、これにより外パイプも上方へ移動して再度固定マグネットと移動マグネットが近づいて吸引し合い、図３（Ａ）の状態になる。
その他の動作や、取り付け部品、図面の説明内容は実施例１と殆ど同様なので省略する。
【実施例４】
【０１００】
次に、外パイプの上部の上板３６に引っ張りバネ２１と固定マグネット１９を取り付け、内パイプ上部の上蓋１６に吸引マグネット３２を取り付けた場合の実施例について説明する。
図３（Ｄ）は物体位置表示器２８の断面図であり、図に示すように、外ケース２７の上カバー１にネジ３５を取り付け、それに引っ張りバネ２１を取り付け、又この引っ張りバネの片側を外パイプの上板３６に取り付け、ネジ等で固定する。
【０１０１】
図２（Ｂ）のように、外パイプ４の上板の中心部に固定マグネット１９を取り付け、この内部を押しボタン３１の中心部が移動する。
内パイプ上部の上蓋１６に固定マグネットと吸引しあう極性の吸引マグネット３２を取り付け、この吸引マグネットと上蓋と下部先端をネジ加工してある押しボタンをナット等により固定する。これにより、押しボタンを下方へ押すと、内パイプは下方へ移動する。
又、実施例２と同様に固定マグネットと吸引マグネットのどちらか一方を磁性体の物にして吸引させても良い。  
【０１０２】
又、外パイプ４の上板３６の下側にクッション３４が取り付けられており、吸引マグネットと上板の衝突により発生する衝撃や音を吸収する為に取り付けられている。
外ケース２７の上カバー１と押しボタンの間に圧縮バネ２３を設け、押しボタンを指で下方へ押した場合、内パイプ１４全体は下方へ移動し、圧縮バネは縮み、又指を離すと圧縮バネの反発力により、押しボタンは上方の元の位置へ移動し、この部分の内部構造は、図２（Ｂ）と殆ど同じである。
【０１０３】
実施例１、２と同様に、内パイプの下蓋２４には移動マグネット１８があり、発電マグネット２０と反発しあう極性にしており、発電マグネットは内パイプ内で宙に浮いた状態である。
この状態で、人がこの物体位置表示器２８を手に持って上下に振ると、発電マグネットはその振動に合わせて大きく上下に移動し、外パイプに取り付けたコイル１２内を移動し、終端の発光ダイオード３が点灯する。
【０１０４】
一方で、押しボタンを人の親指等で押すと、内パイプは下降し、圧縮バネは縮み、内パイプの吸引マグネットに吸引されている固定マグネットを有する外パイプも下降し、引っ張りバネ２１は伸び始める。
【０１０５】
更に押しボタンを押していき吸引マグネットと固定マグネットの磁力による吸引力より引っ張りバネの収縮力が勝った時、外パイプ４は上方へ瞬時に移動し、内パイプ内の発電マグネットはコイル内を移動すると同じことになる。
この瞬間コイルには誘導電流が流れ終端の発光ダイオードが点灯する。この動作は、ワイヤーの動きが遅くても瞬時に行なわれる。
【０１０６】
又、この押しボタンを押した状態で、物体位置表示器を上下に振ると、内パイプ内の発電マグネットも上下に移動でき、コイル内を移動するので、発光ダイオードを点灯させることができる。
【０１０７】
ボタンを押して、圧縮バネ２３が縮み、引っ張りバネも縮んで外パイプの移動が停止した状態で、押しボタンを押すのをやめ開放すると、圧縮バネの伸びようとする力により押しボタンは上方へ移動し、これにより内パイプも上方へ移動して再度固定マグネットと吸引マグネットが近づいて吸引し合い、図３（Ｄ）の状態になる。
その他の動作や、取り付け部品、図面の説明内容は実施例１や３と殆ど同様なので省略する。
【実施例５】
【０１０８】
次に、主に引っ張りバネの伸縮により発電する場合の実施例について説明する。
図４（Ａ）は、図１（Ｂ）の内パイプ１４上部の上蓋１６と下部の移動マグネット１８をそれぞれ取り除き、引っ張りバネ２１を直接発電マグネット２０に接続し、外パイプ下側の架台２５の調整ネジ２６と固定マグネット１９を内パイプ下部の下蓋２４へ移動し、外パイプと内パイプをそれぞれ長くした断面図であり、固定マグネットの極性は発電マグネットと吸引しあう極性にしてそれを接着剤等で下蓋へ固定する。
【０１０９】
外パイプ４に取り付けられている、コイル１２は外ケース２７の内側と接着剤等で固定されており、ワイヤー５が緩んでいるときは、発電マグネットと固定マグネットは互いに吸引しあい、調整ネジの先端と発電マグネットは接触して近づいている。
その他の部品の材質や配置、取り付け方、動作等は実施例１と同様なので省略する。
【０１１０】
発電マグネットに接続された引っ張りバネを長くし、引っ張り強度を小さくした場合、ワイヤーが緩んだ状態で外ケース２７を上下に振動させると、内パイプも上下に振動し発電マグネットはコイル内を移動し、これにより、終端の発光ダイオードを点灯することができる。
【０１１１】
一方で、外部よりワイヤーを引っ張ると、接続部材１７は上昇し、接続部材下部の引っ張りバネは伸びていき、発電マグネットに吸引された固定マグネットを有する内パイプ１４も上昇し、外ケースの上カバー１に内パイプがあたって、内パイプは停止する。
これにより、接続部材下部の引っ張りバネ２１は図４（Ｂ）のように伸びていき、更にワイヤーを引っ張り、その力が固定マグネットと発電マグネットの吸引力を上回ると、発電マグネットは引っ張りバネに引っ張られ、瞬時に上方へ移動する。
【０１１２】
この時、発電マグネットはコイル内を瞬時に移動するので、コイルには誘導電流が流れ、終端の発光ダイオードを点灯する。
圧縮バネ２３が縮み、引っ張りバネも縮んで発電マグネットの移動が停止した状態で、ワイヤーの引っ張りをやめ開放すると、圧縮バネの反発力と発電マグネット等の重力や両マグネットの吸引力によりワイヤーは下方へ引き戻され、再度固定マグネットと発電マグネットが近づいて吸引し合い、図４（Ａ）の状態になる。
その他の動作や、取り付け部品、図面の説明内容は実施例１と殆ど同様なので省略する。
【０１１３】
図５（Ａ）は、前記の内パイプ１４内にある引っ張りバネ２１、発電マグネット２０、固定マグネット１９等の取り付けを逆に移動した形のもので、内パイプの下蓋２４に引っ張りバネの片側を固定し、もう一方を発電マグネットに接続して固定している。
【０１１４】
一方で、ワイヤー５の先には調整ネジ２６を取り付け、その外側にネジ加工した接続部材１７、及び発電マグネットに吸引力を与える極性の固定マグネットをそれぞれ連結し、調整ネジ２６の先端を発電マグネットと接触させ、両マグネットの吸引力を調整している。その他の部品の材質や配置、取り付け方、動作等は実施例１や図４とほぼ同様なので省略する。
【０１１５】
これにより、ワイヤーが緩んでいるときは、発電マグネットと固定マグネットは互いに吸引しあい、調整ネジの先端と発電マグネットは接触して近づいている。
発電マグネットに接続された引っ張りバネを長くし、引っ張り強度を小さくした場合、ワイヤーが緩んだ状態で外ケース２７を上下に振動させると、内パイプも上下に振動し発電マグネットはコイル内を移動し、これにより、終端の発光ダイオードを点灯することができる。
【０１１６】
一方で、外部よりワイヤーを引っ張ると、調整ネジが取り付けられた接続部材１７は上昇し、接続部材下部の固定マグネットの吸引力により、発電マグネットが引っ張られて引っ張りバネは伸び、内パイプは上カバー１にあたるまで上昇する。
これにより、発電マグネット下部の引っ張りバネ２１は図５（Ｂ）のように伸びていき、更にワイヤーを引っ張り、その力が固定マグネットと発電マグネットの吸引力を上回ると、発電マグネットは引っ張りバネに引っ張られ、瞬時に下方へ移動する。
【０１１７】
この時、発電マグネットはコイル内を瞬時に移動するので、コイルには誘導電流が流れ、終端の発光ダイオードを点灯する。
ワイヤーを引っ張って圧縮バネ２３が縮み、引っ張りバネも縮んで発電マグネットの移動が停止した状態で、ワイヤーの引っ張りをやめ開放すると、圧縮バネの反発力と固定マグネット等の重力によりワイヤーは下方へ引き戻され、再度固定マグネットと発電マグネットが近づいて吸引し合い、図５（Ａ）の状態になる。
【０１１８】
図４（Ａ）及び図５（Ａ）では、発電マグネット２０の移動に引っ張りバネ２１を利用しているが、これの代わりに伸縮性のゴム等を利用しても良く、発電マグネットと調整ネジ２６との切り離しが容易に行なわれる場合、固定マグネット１９の代わりに磁性体の物を取り付けても良く、又は調整ネジを磁性体の物に代えて固定マグネットを取り付けなくても良い。
その他の動作や、取り付け部品、図面の説明内容は実施例１と殆ど同様なので省略する。
【実施例６】
【０１１９】
次に、外パイプ４の架台２５に引っ張りバネ２１を取り付け、その先に発電マグネット２０を直接取り付け、主に引っ張りバネの伸縮により発電する場合の実施例について説明する。
【０１２０】
図６（Ａ）に示すように、外パイプの架台に引っ張りバネをネジ等で取り付けて固定し、又この引っ張りバネの片側を発電マグネット２０の下側に連結して接続する。
外ケースの上カバー１と固定マグネット１９間に圧縮バネ２３を挿入し、上カバーの中心穴よりワイヤー５を入れ、圧縮バネの内部を通りって調整ネジ２６と接続する。
【０１２１】
接続部材１７をネジ加工して調整ネジを挿入し、その接続部材の上部に発電マグネットと吸引しあう極性の固定マグネット１９を取り付けて固定する。
これにより、ワイヤーが緩んでいるときは、発電マグネットと固定マグネットは互いに吸引しあい、調整ネジの先端と発電マグネットは接触して近づいている。
【０１２２】
外パイプ４に取り付けられている、コイル１２は外ケース２７の内側と接着剤等で接着固定されている。
発電マグネットに接続された引っ張りバネを長くし、引っ張り強度を小さくした場合、ワイヤーが緩んだ状態で外ケースを上下に振動させると、実施例１〜５のように大きく上下移動はしないが、コイル内を多少移動することは可能で、これにより、終端の発光ダイオードを点灯することができ、実施例１，２及び５に比べ構造を簡素化できる。
【０１２３】
一方で、外部よりワイヤーを引っ張ると調整ネジが取り付けられた、接続部材１７は上昇し、接続部材上部の固定マグネットの吸引力により、発電マグネットも上昇する。
これにより、発電マグネット下部の引っ張りバネ２１は図６（Ｂ）のように、伸びていき、更にワイヤーを引っ張り、その力が固定マグネットと発電マグネットの吸引力を上回ると、発電マグネットは引っ張りバネに引っ張られ、瞬時に下方へ移動する。
【０１２４】
この時、発電マグネットはコイル内を瞬時に移動するので、コイルには誘導電流が流れ、終端の発光ダイオードを点灯する。
ワイヤーを引っ張って圧縮バネ２３が縮み、引っ張りバネも縮んで発電マグネットの移動が停止した状態で、ワイヤーの引っ張りをやめ開放すると、圧縮バネの反発力と固定マグネット等の重力や両マグネットの吸引力によりワイヤーは下方へ引き戻され、再度固定マグネットと発電マグネットが近づいて吸引し合い、図６（Ａ）の状態になる。
【０１２５】
図６（Ａ）では外パイプの架台側に引っ張りバネと発電マグネット連結して取り付けているが、実施例５の図４（Ａ）のように、ワイヤー側に引っ張りバネ２１と発電マグネット２０を接続し、外パイプ下側の架台２５に調整ネジ２６と固定マグネット１９を取り付けても良い。
【０１２６】
図６（Ａ）では、発電マグネット２０の移動に引っ張りバネ２１を利用しているが、これの代わりに伸縮性のゴム等を利用しても良く、発電マグネットと調整ネジ２６との切り離しが容易に行なわれる場合、固定マグネット１９の代わりに磁性体の物を取り付けても良く、又は調整ネジを磁性体の物に代えて固定マグネットを取り付けなくても良い。
その他の動作や、取り付け部品、図面の説明内容は実施例１や５と殆ど同様なので省略する。
【実施例７】
【０１２７】
次に、外パイプの架台２５に発電マグネットに吸引力を与える極性の移動マグネット１８を取り付け、その上にクッション４０、発電マグネット２０を挿入し、引っ張りバネ２１を利用せず、固定マグネット１９を移動して、発電マグネットと固定マグネットの吸引力を利用して発電する場合の実施例について説明する。
【０１２８】
図７（Ａ）では、図６（Ａ）の架台２５に発電マグネットに吸引力を与える極性の移動マグネット１８を取り付け、その上にクッション４０を外パイプ４内に挿入し、発電マグネット２０に接続する引っ張りバネ２１を無くしており、図６（Ａ）同様、外ケースの上カバー１と固定マグネット１９間に圧縮バネ２３が挿入されており、又、ワイヤー５も上カバーの中心穴より入り、圧縮バネの内部を通りって調整ネジ２６と接続されている。
【０１２９】
更に、接続部材１７をネジ加工して調整ネジ２６を挿入し、その接続部材の上部に発電マグネットと吸引しあう極性の固定マグネット１９も同様に取り付けられ、又、外パイプ内のクッション４０と接続部材間に閉塞板３７を設け、この閉塞板は外パイプ内部に接着剤等で固定されている。
これにより、ワイヤーが緩んでいるときは、発電マグネットと固定マグネットは互いに吸引しあい、閉塞板を挟んで発電マグネットと接続部材は近づいている。
【０１３０】
外パイプ４に取り付けられている、コイル１２は外ケース２７の内側と接着剤等で接着固定されている。
通常、ワイヤーが緩んでいる状態で、外ケースを上下に振動させても、発電マグネットは移動せず、終端の発光ダイオードを点灯することはできない。
【０１３１】
一方で、外部よりワイヤーを引っ張ると調整ネジが取り付けられた、接続部材１７も上昇し、圧縮バネ２３は縮み、閉塞板を挟んで近づいている発電マグネットとの距離は離れていく。
更にワイヤーを引っ張って接続部材を遠ざけ、その力が固定マグネットと発電マグネットの吸引力を上回ると、発電マグネットは、それ自体の重力や移動マグネット１８の吸引力により、図７（Ｂ）のように下方へ移動しクッション４０に接し、この時、発電マグネットはコイル内を瞬時に移動するので、コイルには誘導電流が流れ、終端の発光ダイオードを点灯する。
【０１３２】
図７（Ｂ）のようにワイヤーを引っ張って圧縮バネ２３が縮み、固定マグネットと発電マグネットの移動が停止した状態で、ワイヤーの引っ張りをやめ開放すると、圧縮バネの反発力と、固定マグネットと発電マグネットの吸引力等によりワイヤーは下方へ引き戻され、下方の発電マグネットは固定マグネットの方向へ急速に移動して吸引し合い、発電マグネットはコイル内を瞬時に移動するので、コイルには誘導電流が流れ、終端の発光ダイオードを点灯し、図７（Ａ）の状態になる。
【０１３３】
図７（Ａ）で、発電マグネット２０と調整ネジ２６との切り離しが容易に行なわれる場合、固定マグネット１９の代わりに磁性体の物を取り付けても良く、又は調整ネジを磁性体の物に代えて固定マグネットを取り付けなくても良い。
その他の動作や、取り付け部品、図面の説明内容は実施例６と殆ど同様なので省略する。
【実施例８】
【０１３４】
次に、実施例３の図３（Ａ）のワイヤー３９と引っ張りバネ２１を利用する代わりに底部圧縮バネ３３の反発力を利用して内パイプ１４を移動させ、発光ダイオード３を点灯できるようにした実施例を図面に従って説明する。
【０１３５】
図８（Ａ）は物体位置表示器２８を人の手に持って外部にその位置を知らせるようにした実施例３の図３（Ａ）のワイヤーと引っ張りバネや内パイプ底部の下蓋２４にある移動マグネット１８、調整ネジ２６等をそれぞれ取り除き、吸引マグネット３２をネジ加工した下蓋２４にサポートネジ３８で固定した断面図であり、内パイプ上部の上蓋１６の上にクッション３４を取り付けてある。このクッションは内パイプの上昇における衝撃や音を吸収する役目で取り付けられている。
【０１３６】
外パイプ４の下部の架台２５の下に図３（Ａ）よりも大き目の固定マグネット１９を取り付け、その内部に底部圧縮バネ３３が入るように架台の中央部に穴を設け、この底部圧縮バネの片側は内パイプの下蓋に接している。
又、このバネの内側にサポートネジ３８が通っており、先端には内パイプの上昇調整用にナット２９を取り付け、バネの片側は下カバー６に接している。
【０１３７】
発電マグネットと吸引マグネット３２は互いに反発する極性にし、又吸引マグネットと固定マグネットは吸引しあう極性にし、固定マグネットを磁性体の物に代えても良い。
実施例３同様、内パイプ内の発電マグネット２０は、人がこの物体位置表示器２８を手に持って上下に振ると、その振動に合わせて、発電マグネットも大きく上下に移動し、外パイプに取り付けたコイル１２内を移動し、終端の発光ダイオード３が点灯する。
【０１３８】
一方で、押しボタンを人の親指等で押すと、図８（Ｂ）のように、外パイプは下降し、圧縮バネは２３縮み、下蓋２４の下部の底部圧縮バネ３３も縮み始める。
外パイプ底部の架台に取り付けられた固定マグネットと内パイプ底部の下蓋に取り付けた吸引マグネット３２は互いに近づき吸引し合っているので、内パイプも同様に下降していく。
【０１３９】
更に押しボタンを押していき吸引マグネット３２と固定マグネット１９の磁力による吸引力より底部圧縮バネの反発力が勝った時、内パイプ１４は上方へ瞬時に移動し、内パイプ内の発電マグネットはコイル内を移動する。
この瞬間コイルには誘導電流が流れ終端の発光ダイオードが点灯する。この動作は、ワイヤーの動きが遅くても瞬時に行なわれる。
【０１４０】
又、この押しボタンを押した状態で、物体位置表示器を上下に振ると、内パイプ内の発電マグネットも上下に移動でき、コイル内を移動するので、発光ダイオードを点灯させることができる。
【０１４１】
押しボタンを押した状態で、圧縮バネ２３が縮み、底部圧縮バネが伸び、内パイプの移動が停止した状態で、押しボタンを押すのをやめ開放すると、圧縮バネ２３の反発力により押しボタンは上方へ移動し、これにより外パイプも上方へ移動して再度固定マグネットと移動マグネットが近づいて吸引し合い、図８（Ａ）の状態になる。
その他の動作や、取り付け部品、図面の説明内容は実施例３と殆ど同様なので省略する。
【０１４２】
本実施例の発電方法は、内パイプに固定した吸引マグネット３２と外パイプに取り付けた固定マグネット１９の吸引力より、内パイプ下部の下蓋２４と外ケース２７底部の下カバー６の間にある底部圧縮バネ３３の反発力がまさった時に、両パイプを引き離し、内パイプ内の発電マグネット２０を瞬時に移動させてコイル内部を移動することにより、コイルに誘導電流を発生させるものである。
【０１４３】
それ故、吸引マグネットと固定マグネットの吸引力を弱くする方向へ力を加え、底部圧縮バネやサポートネジ３８を利用せず、又固定マグネットを取り外して、その場所に同形状の磁性体の物を固定して吸引マグネットと吸引させ、一方で取り外した固定マグネットの極性を反対にして吸引マグネットに反発させるように下カバー６の底部へ取り付けると両パイプは圧縮バネ２３やこれらマグネットの反発力により、図８（Ａ）の状態と同じようになる。
【０１４４】
この状態で押しボタン３１を押し、これら両マグネットの反発力が吸引マグネットと磁性体の吸引力よりまさった時に、両パイプを引き離し、内パイプ内の発電マグネット２０を瞬時に移動させて、コイルに誘導電流を発生させることも可能となり、前記と同じ動作を行なうことができる。
この様に底部圧縮バネを利用せず、マグネットどうしを組み合わせて両パイプを引き離す構造にしても良い。
【実施例９】
【０１４５】
次に、内パイプ１４内の発電マグネット２０を移動させる手段として、外部より発電マグネットに吸引力の磁力を与える他の吸引マグネット５２を近づけ、その吸引マグネットの移動によって、発電マグネットを移動させ、発光ダイオード３を点灯できるようにした実施例を図面に従って説明する。
【０１４６】
図９（Ａ）は図８（Ａ）の外ケース２７の内部部品を取り出して一部の部品を変更し、その部分を断面図として表し、それを固定ベース５１に設置し、外パイプ４のそばに発電マグネットに吸引力を与える極性の吸引マグネット５２が移動できるスライドレール５３を取り付け、矢印５４の方向へ往復移動できるようにして、発電マグネットを移動できるようにしたものである。
【０１４７】
内パイプ１４と外パイプ４の下側は図８（Ａ）とは一部分異なり、内パイプの底部の下蓋２４をネジ加工し、その上に発電マグネットに反発力を与える極性の吸引マグネット３２を取り付け、サポートネジ３８の先にナット２９を取り付け、このナットと下蓋で吸引マグネット３２を固定する。
【０１４８】
また、外パイプ底部の架台２５の中央部もネジ加工し、そこからサポートネジ３８を挿入して内パイプの下蓋と連結し、前記のように内パイプ側とこのサポートネジを連結する。
サポートネジを回転させると内パイプも回転し、内パイプは架台２５に対して上下できるようになり、発電マグネットとコイルの位置関係を調整できる。
【０１４９】
外パイプの外側には図８（Ａ）同様、コイル１２、ブリッジダイオード１１、抵抗９が配置され、電線１０により発光ダイオード３へと繋がれている。
これらを固定ベース５１へ設置し、図９（Ａ）のように、吸引マグネット５２が矢印５４方向へ往復移動できるスライドレール５３も固定ベースに設置されている。
【０１５０】
この状態で、図９（Ａ）の固定ベースを上下に振ると、その振動に合わせて、発電マグネットも大きく上下に移動し、外パイプに取り付けたコイル内を移動し、終端の発光ダイオードが点灯する。
【０１５１】
一方で、スライドレール５３に沿って、吸引マグネット５２を矢印方向へ下降させていくと、内パイプ１４内の発電マグネット２０は吸引され、図９（Ｂ）のように内パイプ側面に移動し、吸引マグネット５２の移動に沿って発電マグネットもパイプ内を移動し、コイル内を移動していく。
更に、吸引マグネット５２が矢印５４方向へ移動すると、内パイプ内の発電マグネットと吸引マグネット３２の磁力による反発力が強くなり、一方でスライドレールを移動する吸引マグネット５２の磁力は離れていって弱まる。
【０１５２】
吸引マグネット５２が移動し、発電マグネットと吸引マグネット５２の吸引力より、
内パイプ内の発電マグネットと吸引マグネット３２の反発力が勝った時、発電マグネットは上方へ瞬時に移動し、コイル内を移動する。
この瞬間コイルには誘導電流が流れ終端の発光ダイオードが点灯する。この動作は、スライドレールを移動する吸引マグネットの動きが遅くても瞬時に行なわれる。
【０１５３】
又、発電マグネットが内パイプ内の上部にあり、スライドレール上の吸引マグネット５２がそのレールの上端や下端に近い場所にあった状態で固定ベース５１を上下に振ると、内パイプ内の発電マグネットも上下に移動でき、コイル内を移動するので、発光ダイオードを点灯させることができる。
【０１５４】
スライドレール上の吸引マグネットの下降への移動をやめ、上方へ移動させる途中再度内パイプ内の発電マグネットはこの吸引マグネット５２に吸引され内パイプ側面に移動するが、図９（Ａ）の位置へ吸引マグネット５２が離れていくと、内パイプ内を自由に移動できる状態になる。
【０１５５】
本実施例の発電方法は、底部圧縮バネや３３、引っ張りバネ２１を利用しないで、パイプの外側より発電マグネット２０に吸引力を与える吸引マグネット５２を移動させ、その吸引マグネットの移動により発電マグネットを吸引させて移動させ、移動途中に於いて、その両マグネットの吸引力より内パイプに固定した吸引マグネット３２と発電マグネットの反発力がまさった時に、発電マグネットを瞬時に上部へ移動させ、その結果コイル内を瞬時移動しコイルに誘導電流を発生させるものである。
【０１５６】
それ故、発電マグネットに反発力を与える吸引マグネット３２の代わりに、圧縮バネを挿入して反発させても良く、又、スライドレール５３の構造を変え、吸引マグネットの極性を反対にして発電マグネットに反発力を与えて発電マグネットを移動させても良く、スライドレールの取り付け角度や位置を変更して、或はスライドレールと同様の構造を成すものにより発電マグネットを移動させても良い。
【実施例１０】
【０１５７】
次に、実施例１の外ケースにハンドルレバー４１を取り付け、人が物体位置表示器２８を持って、このレバーを握った時も発光ダイオードを点灯できるようにした実施例を図面に従って説明する。
【０１５８】
図１０（Ａ）は物体位置表示器２８を人の手に持って外部にその位置を知らせるように、図１（Ａ）のケーブルクリップ２とクリップ７を取りはずし、ワイヤー５を引っ張る手段として外ケース２７上部にレバー押さえ４２を取り付け、それと連結されるハンドルレバー４１を人の指で握ることにより、ワイヤーを引っ張って、終端の発光ダイオード３を点灯させるようにした斜視図であり、（Ｂ）はＡ−Ａ部分の断面図である。
【０１５９】
図１０（Ｂ）に示すように、外ケース上部の上カバー１の穴より出たワイヤー５の先に保持棒４３を取り付け、ハンドルレバー４１の穴に挿入しワイヤーが上下に可動できるようにする。
又、外ケース上部にレバー押さえ４２を取り付け、ハンドルレバーと連結し、レバー押さえを軸にハンドルレバーが可動するようにする。
これにより、人の手によってハンドルレバーを握ると保持棒が上昇し、ワイヤーも上昇する。
【０１６０】
この物体位置表示器の内部構造は実施例１の図１（Ａ）の内部構造と同じで、内部の材質や取り付け部品、動作等は同じなので一部説明を省略すが、図１０（Ｂ）のように、通常状態では外ケース内の圧縮バネ２３の反発力により、ワイヤーは下方へ引っ張られ、図１（Ｂ）のように、固定マグネット１９と移動マグネット１８は互いに吸引し合って近づいており、内パイプは下降している。
【０１６１】
実施例１同様、この状態で、人がこの物体位置表示器を持って上下に振ると、内部の発電マグネットも大きく上下に振れ、内パイプ内を移動する。この時、発電マグネットは外パイプにあるコイル１２内を移動することになり、コイルに誘導電流を発生させ、発光ダイオードを点灯する。
【０１６２】
一方で、人がこの物体位置表示器を手に持ってハンドルレバー４１を握ると、ワイヤー５は保持棒４３の移動により上方へ移動し、図１（Ｃ）のようにワイヤーの先の接続部材１７、引っ張りバネ２１、内パイプ１４も上方へ引っ張られ、引っ張りバネが伸び、更にハンドルレバーを握るとワイヤーを引っ張っていき、移動マグネット１８と固定マグネット１９の磁力による吸引力より引っ張りバネの引っ張り強度が勝った時、内パイプは上方へ瞬時に移動し、図１（Ｄ）のようになる。
【０１６３】
この瞬間コイルには誘導電流が流れ終端の発光ダイオードが点灯する。この動作は、ハンドルレバーを握る速度がゆっくりでも瞬時に行なわれ、これにより物体位置表示器を持っている人の存在を外部に知らせることができる。
【０１６４】
又、この状態で人がこの物体位置表示器を持って上下に振ると、内部の発電マグネットも大きく上下に振れ、内パイプ内を移動する。この時、発電マグネットは外パイプにあるコイル１２内を移動することになり、コイルに誘導電流を発生させ、発光ダイオードを点灯させることができる。
【０１６５】
人がこの物体位置表示器２８を確実に持つことができるよう、実施例２同様、図２（Ａ）のように、外ケース２７に保持バンド３０を取り付け、この保持バンド内に指を通し、そしてハンドルレバーを握れるようにして物体位置表示器を落とさないようにしても良い。
【０１６６】
これにより、夜間の散歩やジョギング等を行なう時に、この物体位置表示器を手に持って上下に振ったり、又はハンドルレバーを握ると、発光ダイオードを点灯することができ、人の存在位置を外部に知らせることができる。
【実施例１１】
【０１６７】
次に、実施例１の物体位置表示器２８をホルダー４７で固定し、このホルダーを杖４４に取り付け、杖を上下に振ったり、下ろした時に発光ダイオードを点灯するようにした実施例について説明する。
【０１６８】
図１１（Ａ）は図１（Ａ）で示す物体位置表示器２８のケーブルクリップ２やネジ２２とクリップ７を取りはずし、外ケース２７の上部の上カバー１よりワイヤー５を出し、ワイヤーを引っ張る手段として外ケースの上方に固定板５５を取り付け、ネジ等によりこの固定板とワイヤーを接続し、物体位置表示器をホルダーの穴に接着剤等で固定して取り付けた斜視図であり、（Ｂ）は断面図である。
【０１６９】
固定板５５の下部には固定台４６を取り付け、これらをホルダー４７の右側の穴に挿入し、その固定台下部の外側には圧縮バネ４８が挿入され、上方にはカラー４５が連結されている。
この圧縮バネ４８はホルダー４７がストッパー４９にあたったときの衝撃を吸収する為やホルダーを持ち上げたときに、杖の戻りを良くするために取り付けられている。
【０１７０】
カラー、固定板、固定台の穴に杖４４を挿入し、これらが杖から移動しないように、上下にストッパー４９を取り付け、これらを杖に固定する。
ホルダーの中央部には大穴５０を設け、この大穴を通してホルダーを手で握ることができるようにし、ホルダーを手で握り持ち上げると、一緒に杖も持ち上げることができる。  
【０１７１】
通常、ホルダーを持ち上げていると、杖の重みで固定台は下降し、下側の圧縮バネ４８は開放され、固定板に接続されたワイヤーは緩んだ状態であり、この状態でホルダーを上下に振動させると、実施例１同様、図１（Ｂ）内の発電マグネット２０も上下に移動し、コイル内を移動することになり、終端の発光ダイオードを点灯する。
【０１７２】
ホルダーを手で握り杖を地面等に下ろすと、杖４４に密着した固定台４６はホルダーに対し上昇する形となり、圧縮バネ４８は縮みワイヤー５は固定板５５によって引っ張られることになり、引っ張りバネ２１が伸び、図１（Ｃ）の状態となる。
【０１７３】
更にホルダーを下方へ押し、移動マグネット１８と固定マグネット１９の吸引力より引っ張りバネの引っ張り強度が勝った瞬間、図１（Ｄ）のように内パイプは上昇し、内部の発電マグネットも瞬時に上昇し、コイル内を瞬時に通過していき、終端の発光ダイオードを点灯する。
【０１７４】
ホルダーが最下降点まで移動し、圧縮バネ２３が縮み、引っ張りバネ２１も縮み、内パイプ１４の移動が上で停止し、その後杖を持ち上げると、圧縮バネ４８の反発や杖等の重力、移動マグネットと固定マグネットの吸引力等により内パイプが引き戻され、これと同時に発電マグネットも再度元の位置方向へ移動しコイル内を移動する。
この瞬間コイルには前回と逆向きの誘導電流が流れ、ブリッジダイオード１１の整流により終端の発光ダイオードを再点灯する。
【０１７５】
これにより、杖を持って夜間の散歩やジョギング等を行なう時に、物体位置表示器が装着されたホルダーを手に持って上下に振ったり、又は杖を地面に下ろすと、発光ダイオードを点灯することができ、人の存在位置を外部に知らせることができる。
【０１７６】
図１１（Ｂ）に於いて、杖４４に固定台４６を容易に取り付けられるときは、固定板５５の上部のカラー４５を取り付ける必要はなく、又固定台４６と固定板５５を連結し、同一物体にしても良く、更にホルダー４７下部にある圧縮バネ４８の代わりにクッションを用いても良く、ホルダーを持ち上げたとき杖が容易に下降できるときはこの圧縮バネ４８を使用しなくても良い。
【０１７７】
図１１（Ａ）では、ホルダー４７を杖４４等の長い物に使用していたが、短い棒状の物に取り付け、或は固定板及び固定台とホルダーを一体型で固定できる構造にしてこのホルダーを上下に振ると、内パイプ内の発電マグネットは振動して上下に移動し、発光ダイオードを点灯することができる。（図示せず）
【０１７８】
又、この様な構造で、更に固定板５５の右側部分を親指で押すことができるような構造にしてホルダーの４７上部に支点を設け、この支点で固定板を支える構造にすると、ホルダーを握っている時に親指で固定板の右側を押すと、支点を中心に左側の固定板は上昇し、ワイヤーを引っ張る形となり、発電マグネット２０を移動させることができ終端の発光ダイオードを点灯することができる。（図示せず）
【０１７９】
これにより、この構造の場合は実施例２の押しボタンを押した時や実施例１０のハンドルレバーを握った場合と同じように親指を押した瞬間、いつでも発電マグネットを移動させることができ、終端の発光ダイオードを点灯することができる。
【０１８０】
実施例１から１１までのように、本発明はコイル内部で発電マグネット２０が外部振動により移動するように形成して更に、この発電マグネットを移動させようとする外部の力が単発的で遅い動きでも発電マグネットを瞬間的に移動させ、コイルに誘導電流を発生させるようにしたものである。
【０１８１】
その方法として、発電マグネット２０を有するパイプに引っ張りバネや圧縮バネ、他のマグネット等を取り付け、更に、その先にワイヤーや押しボタンを取り付けることにより、この引っ張りバネや圧縮バネの伸縮及び他のマグネットどうしの吸引力や反発力等を利用して、発電マグネットを瞬時に移動させている。
【０１８２】
それ故、その手段としてこれらを組み合わせ、上記実施例と同じような瞬間的移動を行なわせる方法はいろいろ考えられるので、この後の実施例１２から１８までの実施例については、主に組み合わせ方を図面に従い簡単に説明し、発電方法や部品の詳細説明は省くようにする。
【実施例１２】
【０１８３】
図１３（Ａ）は、実施例８の図８（Ａ）の外ケース２７の内側にコイル１２の外側と架台２５を接着剤等で取り付け、固定マグネット１９を内パイプ１４の上部の上蓋１６上部に取り付け、押しボタン３１の先端を長くして、その先端に吸引マグネット３２を取り付け、外パイプ４を短くして、上部の上板３６を取り除いたものである。
【０１８４】
固定マグネットと吸引マグネットは、上蓋を挟んで互いに吸引する極性にしてあり、押しボタンの先端部分は上蓋の中央部分を通過できるようにしてある。
これにより、押しボタンを押すと押しボタンの先の吸引マグネットは下方へ移動し、それに吸引されて、固定マグネットも下方へ移動し、下方の底部圧縮バネ３３は収縮する。
【０１８５】
更に、押しボタンを押して下降を続け、底部圧縮バネの反発力が吸引マグネットと固定マグネットの吸引力を上回ると、両マグネットは離れるようになり、内パイプ１４は瞬時に上方へ移動し、内部の発電マグネット２０も同様に瞬時に移動するので、外側のコイル１２に瞬間的な高い電気を発生させることが出来る。
【実施例１３】
【０１８６】
図１３（Ｂ）は、実施例１２の図１３（Ａ）の底部圧縮バネ３３を取り除き、押しボタン側に圧縮バネ５８を設けて上蓋１６を加工して変化させ、その外周へ吸引マグネット５６を取り付け、外ケース２７の上部にある上カバー１に固定マグネット５７を取り付けて互いに吸引しあう極性にしたものであり、発電マグネット２０に反発力を与える移動マグネット１８を下蓋２４に取り付けたものである。
【０１８７】
図１３（Ｂ）のように、押しボタンの中間を加工して、ストッパー５９を設け、圧縮バネ５８をこのストッパーと上蓋１６間に挿入して、押しボタンの先端をネジ等で固定し、この先端部分は上蓋の中央部分を通過できるようにしてある。
それにより、通常吸引マグネットと固定マグネットは互いに吸引しあい近づいており、又、圧縮バネはストッパーと上蓋間で開放状態になっている。
【０１８８】
押しボタンを押すと、圧縮バネ５８はストッパー５９に押されて収縮し、更に押しボタンを下方へ押し、圧縮バネの反発力が吸引マグネットと固定マグネットの吸引力を上回った瞬間、内パイプ１４は瞬時に下方へ移動し、内部の発電マグネット２０も瞬時に下方へ移動し、外側のコイル１２に瞬間的な高い電気を発生させることが出来る。
【実施例１４】
【０１８９】
図１３（Ｃ）は、実施例４の図３（Ｄ）の引っ張りバネ２１の片側を、上板３６にではなく、形状を変化させた上蓋１６に取り付け、その上蓋を内パイプ１４の上部と連結する。
上蓋上部に固定マグネット１９を取り付け、押しボタンの先端に吸引マグネット３２をそれぞれ取り付け、上蓋を挟んで両者は互いに吸引しあう極性にし、押しボタンの先端部分は上蓋の中央部分を通過できるようにしてある。
【０１９０】
引っ張りバネの片側は、上カバー１にネジ等でそれぞれ取り付けられ、その他の構造は実施例１３と殆ど同様で動作は実施例４の動きと殆ど同じようになり、押しボタン３１を押すと、吸引マグネット３２は下降し、それに吸引されている固定マグネット１９を有する内パイプ１４も下降し、引っ張りバネは伸びていく。
【０１９１】
更に押しボタンを押していき、引っ張りバネ２１の収縮力が吸引マグネット３２と固定マグネット１９の吸引力を上回った瞬間、引っ張りバネは収縮し、それによって内パイプ１４は瞬時に上方へ移動し、内部の発電マグネット２０も瞬時に上方へ移動し、外側のコイル１２に瞬間的な高い電気を発生させることが出来る。
【実施例１５】
【０１９２】
図１３（Ｄ）は、実施例１３の図１３（Ｂ）の圧縮バネ５８とストッパー５９をそれぞれ削除し、押しボタン３１の先端で直接クッション１５、その先の発電マグネット２０を押して下降させるようにしたものである。
押しボタンを押すと、その先端に接するクッションを押し、次いでそれと接する発電マグネットは下方へ押されて移動する。
【０１９３】
更に押しボタンを押して発電マグネットを下方へ移動させ、発電マグネットと移動マグネット１８との反発力が吸引マグネットと固定マグネットの吸引力を上回った瞬間、内パイプ１４は下降し、内部の発電マグネット２０も下降し、外側のコイル１２に瞬間的な高い電気を発生させることが出来る。
【実施例１６】
【０１９４】
図１４（Ａ）は、実施例１の図１（Ｂ）の外ケース２７の内側にコイル１２と架台２５を接着剤等で取り付け、固定マグネット１９を内パイプ１４の上部の上蓋１６下部に取り付け、外パイプ４を短くし、又、上蓋を変形して内パイプ上部と接着剤等で接続し、その上にクッション３４が取り付けられている。
【０１９５】
ワイヤー５の先には吸引マグネット６０が接続され、クッション、上蓋を挟んで固定マグネットと吸引しあう極性にしてあり、又、上カバー１と上蓋間に圧縮バネ２３が挿入されている。
これによりワイヤーを上方へ引っ張ると、吸引マグネットも上昇し、それにより吸引されている固定マグネットも上昇することにより、内パイプも上昇して圧縮バネは収縮する。
【０１９６】
更にワイヤーを引っ張り、圧縮バネ２３の反発力が吸引マグネット６０と固定マグネット１９の吸引力を上回った瞬間、吸引マグネットと固定マグネットの間隔が開き、内パイプ１４は下降し、内部の発電マグネット２０も瞬時に下降し、外側のコイル１２に瞬間的な高い電気を発生させることが出来る。
この時、内パイプは外パイプ４上部と上蓋１６がぶつかった所で停止する。
【実施例１７】
【０１９７】
図１４（Ｂ）は実施例１６の図１４（Ａ）の内パイプ１４底部の下蓋２４に発電マグネット２０に反発力を与える吸引マグネット３２を取り付け、更に、そこにネジ等を利用して引っ張りバネ２１の片側を取り付け、もう一方は架台２５にネジ等で固定したものであり、上カバー１と上蓋１６間に挿入した圧縮バネ２３と異なる圧縮バネ５８を挿入して主にワイヤーの引き戻しに利用し、その他の構造は実施例１６と殆ど同様である。
【０１９８】
これにより、ワイヤー５を上方へ引っ張ると、吸引マグネット６０も上昇し、それに吸引されている固定マグネット１９も上昇することにより内パイプも上昇し、内パイプ下部の引っ張りバネも引っ張られて伸びていく。
【０１９９】
更にワイヤー５を引っ張ると、圧縮バネ５８は収縮し、内パイプ下部の引っ張りバネ２１の収縮力が吸引マグネット６０と固定マグネット１９の吸引力を上回った瞬間、内パイプ１４は瞬時に下降し、内部の発電マグネット２０も下降し、外側のコイル１２に瞬間的な高い電気を発生させることが出来る。
【実施例１８】
【０２００】
図１４（Ｃ）は、実施例１６の図１４（Ａ）の圧縮バネ２３を取り除き、実施例１３のように上蓋１６の外周へ吸引マグネット５６を取り付け、外ケース２７の上部にある上カバー１に固定マグネット５７を取り付け、実施例１３の時とは逆に両マグネットを互いに反発しあう極性にしたものである。
【０２０１】
それにより、通常吸引マグネット５６と固定マグネット５７は互いに反発しあい遠ざかって間隔が開いており、ワイヤー５を上方へ引っ張ると、吸引マグネット５６と固定マグネット５７は互いに反発しあいながらも近づき始める。
【０２０２】
更にワイヤーを引っ張って両者の反発力が、吸引マグネット６０と固定マグネット１９の吸引力を上回った瞬間、吸引マグネット６０と固定マグネット１９は切り離されて遠ざかり、内パイプ１４は吸引マグネット５６と固定マグネット５７の反発力により下方へ移動し、内部の発電マグネット２０も下方へ移動し、外側のコイル１２に瞬間的な高い電気を発生させることが出来る。
【０２０３】
実施例１〜１８に示すように、本発明はこの表示器に通常の振動を与えても電気エネルギーを取得でき、又瞬間的な発電マグネット２０の移動により高い発電エネルギーをも得ることができる。
それ故、図１２の電気回路図のコイルからブリッジダイオードへ流れる電気エネルギーを別回路に流して充電池へ充電させることも出来る。（図示せず）
【０２０４】
この別回路はスイッチ、光センサー、振動センサー、充電器、充電池等を有し、日中のジョギング等で発光ダイオードへの発光を必要としない時は、コイルよりブリッジダイオードへ流れた電気を光センサーにより遮断して充電池へ充電することも出来る。（図示せず）
【０２０５】
これにより、これらが組み込まれた表示器を持って夜間の散歩等に出かけると、スイッチをオンにして充電器からの電気を発光ダイオードに流せるようにし、更に、振動センサーが人の停止を検知した場合、充電器からの電気を発光ダイオードへ出力し、瞬間的でなく、一定時間発光ダイオードを点灯させることもできるようになる。
【符号の説明】
【０２０６】
１    上カバー
２    ケーブルクリップ
３    発光ダイオード（ＬＥＤ）
４    外パイプ
５    ワイヤー
６    下カバー
７    クリップ
８    リード
９    抵抗
１０    電線
１１    ブリッジダイオード
１２    コイル
１３    ボビン
１４    内パイプ
１５    クッション
１６    上蓋
１７    接続部材
１８    移動マグネット
１９    固定マグネット
２０    発電マグネット
２１    引っ張りバネ
２２    ネジ
２３    圧縮バネ
２４    下蓋
２５    架台
２６    調整ネジ
２７    外ケース
２８    物体位置表示器
２９    ナット
３０    保持バンド
３１    押しボタン
３２    吸引マグネット
３３    底部圧縮バネ
３４    クッション
３５    ネジ
３６    上板
３７    閉塞板
３８    サポートネジ
３９    ワイヤー
４０    クッション
４１    ハンドルレバー
４２    レバー押さえ
４３    保持棒
４４    杖
４５    カラー
４６    固定台
４７    ホルダー
４８    圧縮バネ
４９    ストッパー
５０    大穴
５１    固定ベース
５２    吸引マグネット
５３    スライドレール
５４    矢印
５５    固定板
５６    吸引マグネット
５７    固定マグネット
５８    圧縮バネ
５９    ストッパー
６０    吸引マグネット
【図１】
2015089309.tif 000003
【図２】
2015089309.tif 000004
【図３】
2015089309.tif 000005
【図４】
2015089309.tif 000006
【図５】
2015089309.tif 000007
【図６】
2015089309.tif 000008
【図７】
2015089309.tif 000009
【図８】
2015089309.tif 000010
【図９】
2015089309.tif 000011
【図１０】
2015089309.tif 000012
【図１１】
2015089309.tif 000013
【図１２】
2015089309.tif 000014
【図１３】
2015089309.tif 000015
【図１４】
2015089309.tif 000016